(57)【要約】【課題】使用者を制限する遠心機において、携帯通信端末を用いて遠心機に簡単にログインできるようにする。【解決手段】遠心機１−６に、スマートフォン等の可搬型の携帯通信端末３０１−１と近距離無線通信を可能とする通信手段を設け、接続可能な携帯通信端末の端末情報を予め遠心機に登録しておく。遠心機がログインされていない状況において、作業者が携帯通信端末３０１−１を保持したまま遠心機に近づいたら、遠心機１は登録されている携帯通信端末か否かを認識し、登録された携帯通信端末である場合は遠心機１−６へのログインを自動で行うようにした。また、運転中は操作パネル１０に表示される情報を携帯通信端末３０１−１においても表示するようにした。【選択図】図１１
2017119260.tif 000002
【特許請求の範囲】
【請求項１】
ロータと、前記ロータを回転駆動するモータと、運転条件の入力と運転状態の表示を行う入出力手段と、前記モータの回転制御を行うとともに全体の制御を行う制御装置と、を備えた遠心機において、
可搬型の携帯通信端末との無線通信を用いて通信可能とする無線通信手段を設け、
前記遠心機に接続可能な携帯通信端末の情報を予め登録しておき、
前記制御装置は、
前記携帯通信端末が通信可能な範囲にある時に、前記携帯通信端末が前記遠心機に登録されている携帯通信端末か否かを判別し、
登録されている場合は、前記携帯通信端末を使って前記遠心機へのログインできることを特徴とする遠心機。
【請求項２】
前記遠心機は、作業者ごとにパスワードを設定してログインを行う機能を有し、登録された前記携帯通信端末が前記遠心機と通信可能な範囲内にあるときには前記パスワードの入力を省略して自動的にログインを行うことを特徴とする請求項１に記載の遠心機。
【請求項３】
前記携帯通信端末は、複数の無線通信手段を用いて通信する機能を有し、
前記ログインを行う際に用いられる無線通信手段は、前記遠心機の設置場所の近傍だけで通信できるものが選択されることを特徴とする請求項２に記載の遠心機。
【請求項４】
前記作業者が前記遠心機からログアウトする際は、前記ログインした携帯通信端末が前記遠心機と通信可能な範囲内にないとログアウトできないようにしたことを特徴とする請求項３に記載の遠心機。
【請求項５】
前記ログイン中において、前記遠心機はログインを行った前記携帯通信端末に対して前記入出力手段に表示される情報の一部又は全部を前記携帯通信端末に送信することを特徴とする請求項２から４のいずれか一項に記載の遠心機。
【請求項６】
前記ログイン中において、前記ログインした前記作業者が前記携帯通信端末を携帯した状態でなければ前記入出力手段からの操作を受け付けないことを特徴とする請求項３から５のいずれか一項に記載の遠心機。
【請求項７】
ロータと、前記ロータを回転駆動するモータと、運転条件の入力を受け付ける操作部と、運転状態の表示を行う表示部と、前記モータの回転を制御し前記操作部からの入力と表示部への表示を制御する制御装置と、を有する遠心機において、
ネットワーク上に開示された前記遠心機の付加情報を得るためのアドレス情報を、前記表示部に光学的に読み取り可能な二次元コードにて表示することを特徴とする遠心機。
【請求項８】
前記付加情報は、前記遠心機の使用方法、前記ロータに関する詳細情報、前記ロータに使用可能な試料容器に関する情報、前記遠心機の制御プログラムの更新データに関する情報、のいずれかであることを特徴とする請求項７に記載の遠心機。
【請求項９】
前記二次元コードには、インターネットのＵＲＬが含まれることを特徴とする請求項７又は８に記載の遠心機。
【請求項１０】
前記ロータには、ロータの種類ごとに定められた識別子が付与され、
前記遠心機は載置された前記ロータの前記識別子を識別する識別センサを有し、
前記制御装置は前記識別センサによって特定されたロータの種類を表示部に表示すると共に前記表示部に、前記特定されたロータに使用可能な試料容器に関する情報を得るための前記アドレス情報を二次元コードで表示することを特徴とする請求項９に記載の遠心機。
【請求項１１】
前記遠心機の操作画面には、複数の選択可能な選択ボタンがアイコン形式で表示され、
前記選択ボタンの一部のアイコンを、前記二次元コードにて表示したことを特徴とする請求項７から１０のいずれかに記載の遠心機。
【請求項１２】
前記遠心機は記憶装置を有し、
作業者が携帯する携帯通信端末を用いて前記二次元コードで示す接続先から入手した遠心機の付加情報を、前記携帯通信端末から無線通信手段を介して受け取ることにより、更新された付加情報を前記記憶装置に保存することを特徴とする請求項７から１１のいずれかに記載の遠心機。
【請求項１３】
前記二次元コードには、前記遠心機の稼働状況を示す情報を含めて表示し、
前記作業者が前記携帯通信端末にて前記二次元コードを読み取って前記ＵＲＬで示す接続先に接続する際に、前記稼働状況を示す情報が前記接続先に送られ、
前記遠心機は、前記携帯通信端末を介して前記接続先から前記稼働状況に応じた更新情報を入手することを特徴とする請求項１２に記載の遠心機。
【請求項１４】
前記更新情報には、前記ロータに関する追加情報、前記遠心機に関するマニュアルの追加内容、前記遠心機に関する更新プログラムの有無を示す情報、のいずれかを含むことを特徴とする請求項１３に記載の遠心機。
【請求項１５】
前記作業者が前記携帯通信端末にて接続する際に、前記携帯通信端末の位置情報も前記接続先に送信されることを特徴とする請求項１３又は１４に記載の遠心機。
【発明の詳細な説明】
【技術分野】
【０００１】
本発明は遠心機に係り、特に携帯通信端末を用いて遠心機のログイン作業を簡易化すると共に、遠心機に関する付随情報を容易に入手して管理するようにした遠心機に関する。
【背景技術】
【０００２】
遠心分離機は、分離する試料（例えば、培養液や血液など）をチューブやボトルを介してロータに挿入し、ロータを高速に回転させることで試料の分離や精製を行う。用いられるロータは様々なタイプがあり、チューブ穴が固定角度式で高回転速度に対応できるアングルロータや、チューブを装填したバケットがロータの回転に伴って垂直状態から水平状態に揺動するスイングロータなどがある。また、超高速回転で少量の試料に高遠心加速度をかけるロータや、低回転速度となるが大容量の試料を扱えるロータなど様々な大きさのものがある。これらのロータはその分離する試料にあわせて使用するため、ロータはモータ等の駆動手段の回転軸に着脱可能に構成され、ロータの交換が可能である。
【０００３】
遠心機は、運転を開始する前にロータの回転数、加速勾配、減速勾配、運転時間、ロータの温度などを設定し、設定された遠心運転条件下で運転を行う。操作者は、遠心機のドアを開けて、試料が収容されたロータを遠心機のロータ室内にセットし、ドアを閉めてから、操作パネルからスタートボタンをタッチすることにより遠心分離運転が開始する。遠心分離運転が終了すると、音や画面表示等で報知されるため、操作者は遠心機のドアを開けてロータ又は試料の入った容器を取り出す。このような一連の遠心運転において、作業者は遠心機の近くにいて遠心運転状況を監視することが重要である。そこで、特許文献１に示されるようにネットワークに接続した複数の遠心機の運転データをサーバ（データ管理装置）にて記憶させる方法が知られている。この技術は運転状況の監視に加えて、運転データを電子記録として作成・保管することができる。
【先行技術文献】
【特許文献】
【０００４】
【特許文献１】特開２０１１−１８９３２４号公報
【発明の概要】
【発明が解決しようとする課題】
【０００５】
数時間に及ぶことがある遠心分離運転中に、作業者がずっと遠心機の近くにいることは効率が良いものではない。しかしながら、作業者が遠心機の近くにいない場合は、遠心機の運転が停止したことや運転状態が切り替わったことが遠心機から音や画面表示等で知らされてもそれに気がつかない。そこで、近年では一般に普及しているスマートフォンやタブレットＰＣ等の携帯通信端末を用いて、運転状況を監視できるようにした遠心機が実用化されている。発明者らは、遠心機の運転管理において携帯通信端末を用いる場合に、更なる運転管理への応用ができると考えた。
【０００６】
本発明は上記背景に鑑みてなされたもので、その目的は、使用者を制限する遠心機において、遠心機を使用するために簡単にログインでき、当該遠心機の管理者や担当者のみが操作できるようにした遠心機を提供することにある。
本発明の他の目的は、遠心機の運転状況を携帯通信端末を用いて効率よく監視できるようした遠心機及びその管理方法を提供することにある。
本発明のさらに他の目的は、ネットワーク接続されていない遠心機でも、インターネット上に開示された遠心機に関する最新の情報または遠心機の使用状態に応じて必要となる情報を、携帯通信端末を用いて容易に入手できるようにした遠心機を提供することにある。
【課題を解決するための手段】
【０００７】
本願において開示される発明のうち代表的なものの特徴を説明すれば次の通りである。
本発明の一つの特徴によれば、ロータと、ロータを回転駆動するモータと、運転条件の入力と運転状態の表示を行う入出力手段と、モータの回転制御を行うとともに全体の制御を行う制御装置と、を備えた遠心機において、可搬型の携帯通信端末との無線通信を用いて通信可能とする無線通信手段を設け、遠心機に接続可能な携帯通信端末の情報を予め登録しておく。制御装置は携帯通信端末が通信可能な範囲にある時に、携帯通信端末が遠心機に登録されている携帯通信端末か否かを判別し、登録されている場合は作業者が通信端末を使って遠心機へログインできるようにした。遠心機は作業者ごとにパスワードを設定してログインを行う機能を有するが、登録された携帯通信端末が遠心機と通信可能な範囲内にあるときにはパスワードの入力を省略して自動的にログインできるようにした。この携帯通信端末は複数の無線通信手段を用いて通信する機能を有し、ログインを行う際には、遠心機の設置場所の近傍だけで通信できる無線通信手段が選択される。このように構成すればログイン操作が容易になる上に、作業者が遠心機から離れる場合に即座に操作ロックをかけることも容易になる。
【０００８】
本発明の他の特徴によれば、作業者が遠心機からログアウトする際は、ログインした携帯通信端末が遠心機と通信可能な範囲内にないとログアウトできないようにした。また、ログイン中において、遠心機はログインを行った携帯通信端末に対して入出力手段に表示される情報の一部又は全部を携帯通信端末に送信するようにしたので、作業者は携帯通信端末を用いて手元で遠心機の操作パネルの表示内容を確認することができる。さらに、ログイン中において、ログインした作業者が携帯通信端末を携帯した状態でなければ入出力手段からの操作を受け付けないように構成した。このように構成すれば、携帯通信端末を作業者のアクセスキーとして用いることができるので、アクセス権限のない人による操作を排除でき、信頼性の高い遠心機を実現できる。
【０００９】
本発明のさらに他の特徴によれば、ロータと、ロータを回転駆動するモータと、運転条件の入力を受け付ける操作部と、運転状態の表示を行う表示部と、モータの回転を制御し操作部からの入力と表示部への表示を制御する制御装置と、を有する遠心機において、ネットワーク上に開示された遠心機の付加情報を得るためのアドレス情報を、光学的に読み取り可能な二次元コードとして表示部に表示するようにした。この付加情報は、遠心機の使用方法、ロータに関する詳細情報、ロータに使用可能な試料容器に関する情報、遠心機の制御プログラムの更新データに関する情報、等とすることができる。この二次元コードには、インターネットのＵＲＬが含まれるようにすると好ましい。このように構成することにより、携帯通信端末を用いて作業者は遠心機に関する最新の情報、詳細な情報を容易に入手することができる。
【００１０】
本発明のさらに他の特徴によれば、ロータには、ロータの種類ごとに定められた識別子が付与され、遠心機は載置されたロータの識別子を識別する識別センサを有し、制御装置は識別センサによって特定されたロータの種類を表示部に表示し、さらに、特定されたロータに使用可能な試料容器に関する情報を得るためのアドレス情報を表示部に二次元コードで表示するようにした。また、遠心機の操作画面には、複数の選択可能な選択ボタンがアイコン形式で表示され、選択ボタンの一部のアイコンを、二次元コードにて表示した。
【００１１】
本発明のさらに他の特徴によれば、遠心機は記憶装置を有し、作業者が携帯する携帯通信端末を用いて二次元コードで示す接続先から入手した遠心機の付加情報を、無線通信手段を介して携帯通信端末から受け取ることにより、更新された付加情報を遠心機の記憶装置に保存できるようにした。二次元コードには、遠心機の稼働状況を示す情報を含めて表示し、作業者が携帯通信端末にて二次元コードを読み取ってＵＲＬで示す接続先に接続する際に、稼働状況を示す情報が接続先に送られる。このため情報提供元となるサーバ側では、遠心機の状態に合わせた適切な情報を提供することができる。また、遠心機は携帯通信端末を介してサーバから可動状況に応じた最新の更新情報を入手できるので、スタンドアロンで可動する遠心機であってもプログラムの更新等を容易に行うことができる。更新情報には、ロータに関する追加情報、遠心機に関するマニュアルの追加内容、遠心機に関する更新プログラムの有無を示す情報、のいずれかを含むと好ましい。
【発明の効果】
【００１２】
本発明によれば、スマートフォン等の携帯通信端末を使用することにより遠心機に対して自動的に又は半自動的にログインすることができるので、使いやすい遠心機を実現できた。また、携帯通信端末を用いて離れた場所から遠心機の監視や操作が可能となり利便性が向上した。外部から不特定者が遠心機にアクセスできる環境になったことに対して、ユーザ情報に予め外部機器の固有情報を登録したので、外部機器からのコマンドに含まれる固有情報と、ユーザ情報に含まれる外部機器の固有情報が一致した場合にだけログイン可能として、外部機器のコマンドを受信するセキュリティ（機密保持）に優れた遠心機を実現できた。また、外部機器から遠心機へのコマンドに対して、ユーザ情報（アクセスレベル）を用いてコマンドに対する処理を切り換えることで、外部機器からの誤操作の減少に繋がる。
【００１３】
本発明によれば、数字、文字、記号などの情報を一定の規則に従い光学的に読み取り可能にした二次元コードを用いて、使用者が利用する携帯通信端末３００を用いてインターネットを介して遠心機に関する最新情報を入手したり、更新したりすることができる。また、この更新作業には既存の携帯通信端末にアプリケーションソフトをインストールするだけで容易に実現できる。
本発明の上記及び他の目的ならびに新規な特徴は、以下の明細書の記載及び図面から明らかになるであろう。
【図面の簡単な説明】
【００１４】
【図１】本発明の実施例に係る携帯通信端末を用いた遠心機の運転管理システムを示す全体構成図である。
【図２】本発明の実施例に係る遠心機１の構成の一例を示す断面図である。
【図３】図２の制御装置２０の概略ブロック図である。
【図４】図１の携帯通信端末３００の概略ブロック図である。
【図５】遠心機１に携帯通信端末３００を登録するためのユーザ管理画面１２０を示す図である。
【図６】遠心機１の操作パネル１０に表示される通常画面１００を示す図である。
【図７】携帯通信端末３００を用いて遠心機１の運転状況を遠隔監視する際に表示される画面４００を示す図である。
【図８】携帯通信端末３００に表示される遠心機１の運転データの画面４００と入力画面４２０との切替状況を示す図である。
【図９】専用のアプリケーションソフトでの登録画面４５０を示す図である。
【図１０】スマートキー管理画面１６０を示す図である。
【図１１】遠心機１へ携帯通信端末を用いてログインする操作を示す図である。
【図１２】自動ログインを行う際の遠心機１側の処理手順を示すフローチャートである。
【図１３】自動ログインを行う際の携帯通信端末３００−１側の処理手順を示すフローチャートである。
【図１４】遠心機１のスマートキーログイン画面１５０を示す図である。
【図１５】携帯通信端末３００を用いてログインした状態の遠心機１の通常画面１００である
【図１６】遠心機１に自動ログインする際に表示されるメッセージ画面１５６を示す図である。
【図１７】第二の実施例の遠心機１の運転前において、載置されたロータ２を判別したときの表示例を示す
【図１８】Ｐ１００ＡＴ２型ロータの詳細情報画面２００を示す図である。
【図１９】Ｐ１００ＡＴ２型ロータに適用可能なチューブリスト画面２１０を示す図である。
【図２０】第二の実施例の遠心機１のメニュー画面１８０を示す図である。
【図２１】ロータカタログ画面２２０を示す図である。
【図２２】一般的なシンボルデザインで表したアップデートチェックアイコン１８６を有するメニュー画面１８０を示す図である。
【図２３】遠心機の稼働状況を示す情報を含めた二次元コード１９１を示す図である。
【図２４】携帯通信端末３００の画面４８０上にメッセージ４８１を表示した例を示す図である。
【図２５】図１６〜図２４の説明で示した情報の流れを図示したものである。
【図２６】遠心機１の通常画面１００内に、更新情報の存在を示すアイコンを表示した例を示す図である。
【図２７】図１６〜図２４の説明で示した情報の流れを遷移図で示したものである。
【発明を実施するための形態】
【実施例１】
【００１５】
図１は携帯通信端末を用いた遠心機の運転管理システムを示す全体構成図である。本実施例の運転管理システムでは、１台のデータ管理装置９０に、ネットワーク８０を介してｎ台の遠心機１（１−１〜１−ｎ）が接続されている。データ管理装置９０は、汎用のパーソナルコンピュータを用いることができ、遠心機１から送信される後述する稼働データを受信して、集計および記録する。遠心機１は、それぞれ、試料を保持するためのロータと、ロータを回転駆動させるためのモータと、モータの回転を制御する制御装置と、外部のネットワークに通信するための通信手段を有する。遠心機１−１〜１−ｎは、同一機種であっても良いし、別機種であってもよく、例えば遠心機１−１は最高回転速度１５０，０００ｒｐｍの超遠心分離機、遠心機１−２は最高回転速度７，０００ｒｐｍの血液分離用遠心分離機とすることができる。遠心機１−１〜１−ｎが別機種の場合、設定できるロータの種類や直径、最高回転数が異なっても良く、また、冷却装置の有無や真空ポンプの有無などの違いなどあっても良い。さらに、接続される遠心機１の台数は限定されず、ネットワーク８０の容量やデータ管理装置９０の処理能力を考慮して多数台接続するようにしても良い。
【００１６】
ネットワーク８０としては、公知のネットワーク技術を利用することができる。例えば、広く普及しているＩＥＥＥ８０２．３規格によるネットワークを用いることができる。データ管理装置９０および各遠心機１には個々を識別する固有のアドレスが付与される。この固有のアドレスを用いることによって各遠心機１は、ネットワークに接続された複数の遠心機１の中から特定のデータ管理装置９０に情報を送信することが可能となる。携帯通信端末３００−１、３００−２は、例えばスマートフォンと称する電話機と携帯型情報端末を一体にした可搬型の機種であり、インターネット通信網８５を介してデータ管理装置９０とのメールの送受信や通信が可能である。遠心機は運転履歴を管理し、運転開始から停止するまでの間、例えば、１０秒周期で遠心機の運転状態（回転速度、運転時間、温度、加速／整定／減速／停止状態）を一回の運転毎に運転履歴データとして遠心機１に、又は遠心機１とデータ管理装置９０の双方に運転履歴データを記録する。携帯通信端末３００−１、３００−２は、無線ＬＡＮを介した通信、ブルートゥース（Ｂｌｕｅｔｏｏｔｈ：ＳＩＧ社の登録商標）を介した通信、ＮＦＣ（Ｎｅａｒ  Ｆｉｅｌｄ  Ｃｏｍｍｕｎｉｃａｔｉｏｎ）規格等の公知の無線近距離通信手段による通信が可能であり、これらの通信手段を用いて遠心機１−１〜１−ｎとの直接通信も可能である。携帯通信端末３００は、作業者や管理者が携帯するスマートフォンに、本実施例を実行するための専用のアプリケーションソフトをインストールすることにより利用できる。
【００１７】
本実施例ではネットワーク８０、８５等の規模は限定されず、ローカルエリアネットワーク（ＬＡＮ）であっても、ワイドエリアネットワーク（ＷＡＮ）であっても、インターネットを用いたネットワークであっても良い。ネットワーク８０で接続できる範囲であれば、データ管理装置９０や遠心機１−１〜１−ｎの設置場所は問われない。例えば、同じ部屋内にこれら全部を設置しても良いし、データ管理装置９０が本社ビルに設置され、遠心機１が各事業所に分散して配置される構成であっても良い。
【００１８】
図２は、本発明の実施例に係る遠心機１の一例の構成を示す断面図である。遠心機１は、分離する試料を保持して回転するロータ２と、ロータ２を収容するロータ室３と、ロータ室３へロータ２の出し入れを行うために設けられた開口部を閉塞するようにして開閉自在に設けられたドア５と、ユーザによる遠心分離条件の設定操作を受け付けると共にユーザに対して運転状態等の各種情報の表示する操作パネル１０と、ロータ２を回転させる駆動手段たるモータ９と、これらを制御するための制御装置２０を含んで構成される。
【００１９】
ボウル４の下部には、ボウル４の内外を連通する貫通孔が設けられ、モータを有するモータ９から回転軸９ａが貫通孔を貫通してロータ室３内に伸び、回転軸９ａの先端の嵌合部にロータ２が取り付けられる。回転軸９ａの近傍にはロータの前記識別子を識別するロータ識別センサ８が設けられる。図示していないがロータ２には試料を入れるチューブ等を挿入するための孔が複数形成される。制御装置２０は、遠心機１の全体の制御をするもので、後述するマイクロコンピュータや記憶装置を含んで構成される。制御装置２０は図示しない信号線によりモータ９の回転信号や温度センサ１５の信号を入力し、モータ９の回転制御や、図示しない冷却装置のコンプレッサモータの運転制御によるロータ室３の温度管理、操作パネル１０への情報の表示と入力データの取得等の遠心機１の全般の制御を行う。
【００２０】
本実施例の遠心機１では、携帯通信端末３００を用いて遠心機１の運転状況を遠隔監視するために、複数のカメラが設けられる。一つは操作パネル１０の近傍に設けられる第一カメラ１２である。第一カメラ１２は操作パネル１０の表示面の法線方向に向けられ、作業者が操作パネル１０を操作している際に作業者の姿、特に顔を撮影することができる。第二カメラ１３はロータ室３の内部に配置される。ここでは装着後のロータ２を撮影できるようにしたので、第二カメラ１３の画像を遠隔監視することにより、ロータ２の装着の有無の確認や、安定して回転しているか等を確認できる。また、ドア５を開けてロータ２の装着又は脱着、試料容器のロータ２への取り付け及び取り外しの際の動画を撮影することも可能であり、その場合は指定されたロータが用いられたことを確認できる。また、スイングロータ等であって血液バッグをいれて回転させる様な遠心機においては、血液バッグにバーコード又はＱＲコード（デンソーウェーブ社の登録商標）や２次元カラーコード、あるいは何らかの可視情報を付与することにより、第二カメラ１３によって遠心分離された試料そのものを確認することができる。
【００２１】
第一カメラ１２及び第二カメラ１３は、静止画像又は音声付き動画像を撮影可能なＣＣＤイメージセンサやＣＭＯＳイメージセンサ等の光電変換素子を用いたデジタル式のカメラが用いられる。遠心機１の筐体１１の上下に仕切る仕切り板１１ａの下側には、モータ部分で異常振動が発生していないかを音で確認できるようにマイク１４が設けられる。第一及び第二カメラ１２、１３、マイク１４は、遠心分離運転を行うのに必須の機能ではないので、遠心機１への取り付けを省略しても良い。しかしながら、これらを設けて、その画像や音を制御装置２０にて取得して管理可能にし、運転データ共に記憶装置に格納することにより、遠心分離運転の記録をより精度の高いものとすることができ、遠隔監視での確認の容易性を高める等、多彩な利用方法を実現できる。
【００２２】
図３は、制御装置２０の概略ブロック図である。制御装置２０の内部には、データバス（ＢＵＳ）３０によって接続される中央処理装置２１、通信インターフェース（Ｉ／Ｆ）２４、無線ＬＡＮ２５、ＮＦＣ等の近接通信手段２６、ＵＳＢインターフェース（Ｉ／Ｆ）３４、及び記憶装置２２を有する。制御装置２０にはさらに、モータ９を駆動するためのモータ用インバータ３１と、冷却装置のコンプレッサ１８を駆動するためのコンプレッサ用インバータ３２と、冷却装置の冷却ファン１９を駆動する駆動回路３５を有し、これらのモータの駆動は中央処理装置２１によって制御される。制御装置にはさらに、操作パネル（操作部）１０、スピーカー３６、ＬＡＮコネクタ３８、及び、ＵＳＢコネクタ３７が接続される。その他、制御装置２０の内部には図示しない電源装置、Ａ／Ｄ変換器、Ｄ／Ａ変換器等が含まれるが、図３では本発明に関係する主要部分のみを記載している。
【００２３】
中央処理装置２１は遠心機の運転データの生成、運転データの記憶、携帯通信端末３００との通信機能を担うもので、マイクロコンピュータ等を含んで構成される。記憶装置２２は遠心機１の制御プログラム、設定条件データ、運転データや監査証跡データ等を記憶するためのものであり、公知のハードディスク装置や半導体記憶装置等により構成される。
【００２４】
操作パネル１０はタッチパネル式の液晶表示装置で実現された入出力手段であって、ユーザが情報を入力するための入力手段としての機能と、ユーザに対して運転データや各種情報の表示を行うための表示手段としての機能を兼ねるものである。操作パネルは、ビデオコントローラ２３を介してデータバス３０に接続される。本実施例では操作パネル１０としてタッチパネル式の液晶表示装置を用いるが、これだけに限られずに、キーボードや各種ボタン類からなる入力装置と、公知の表示装置を別々に設けるように構成しても良い。また操作パネル自体を、中央処理装置付きのＰＤＡ（携帯情報端末）などで実現しても良い。
【００２５】
通信インターフェース２４は、有線によるネットワーク回線を介して外部の装置と通信をするための回路であって、公知のＥｔｈｅｒｎｅｔ（登録商標）などの一般的な通信方式を用いるための回路で、公知のＬＡＮコネクタ３８によりルーター等の外部機器に接続できる。無線ＬＡＮ２５は、無線によって外部の接続装置と通信をするための通信手段であって、外部の図示しない接続装置を介して携帯通信端末３００（例えばスマートフォン等）と接続し、後述する運転状況データの送受信を行なう。近接通信手段２６は、ブルートゥース（登録商標）やＮＦＣ（近距離無線通信の国際標準規格）、ＢＬＥ（Ｂｌｕｅｔｏｏｔｈ  Ｌｏｗ  Ｅｎｅｒｇｙ）等を使った公知の近接通信手段であって、例えばスマートフォンなどの携帯通信端末３００と直接通信をすることができる。
【００２６】
ＵＳＢインターフェース３４は、ＵＳＢコネクタ３７を接続するための回路であり、ＵＳＢコネクタ３７はユニバーサル・シリアル・バス規格に準拠したコネクタを用いることができる。このＵＳＢコネクタ３７に図示されていない外部記憶装置を接続させて、記憶装置２２内のデータを外部記憶装置内にコピー又は移動させることができる。この外部記憶装置内にコピー又は移動させたデータを保管することで、遠心機１内の記憶装置２２の記憶領域を一定量確保することで、記憶装置２２を効率よく使うことができる。また、何かの不具合で記憶装置２２にデータを記憶することができなくなってしまった場合に、ＵＳＢコネクタ３７に外部記憶装置を接続させて、データを外部記憶装置に書込むことができる。さらにはＵＳＢメモリを介して中央処理装置２１で実行される制御プログラムの更新プログラムをインストールするようにしても良い。
【００２７】
映像処理部２７は第一カメラ１２と第二カメラ１３で撮影された画像を処理する映像データを画像補正及び圧縮処理してデジタルデータ化するための回路である。音声処理部２８はマイク１４にて集音された音をサンプリング化して圧縮処理するための回路である。映像処理部２７、及び、音声処理部２８の出力は、中央処理装置２１によって記憶装置２２に格納され、又は通信手段を介して外部の機器（例えば携帯通信端末３００）に送信される。スピーカー３６は、ユーザに対して警告音や各種音声案内をするためのものであり、操作パネル１０の操作や表示に合わせて操作音、アラーム音等が出力される。
【００２８】
図４は携帯通信端末３００の概略ブロック図である。携帯通信端末３００としては市販されているスマートフォンであって、そこに遠心機１との通信を行い、特定の画面表示と入力操作を行うための専用のアプリケーションソフトをインストールしたものを用いる。例えば、いずれかの遠心機１の操作を行う特定のユーザ（ここでは「作業者」と呼ぶ）と、その作業者の上司又は承認者となる人（管理者）の携帯通信端末３００−１、３００−２に専用のアプリケーションソフトを事前にインストールしておく。図示しないアプリケーションソフトは、遠心機１の運転状態をモニタリングできるように遠心機１側の操作パネル１０に表示される情報と同じ内容、または、一部の内容を表示するプログラムと共に、遠心機１を遠隔操作するためのプログラム、その他の遠心分離機の運転管理に必要な機能を実行する。
【００２９】
携帯通信端末３００の機能的な構成は、通信機能を有する小型のコンピュータ機器そのものであって、データバス３０５に接続された中央処理装置３０２と、各種通信手段と、アプリケーションソフトやそれに用いられるデータを格納するための記憶装置３０３、タッチ式液晶パネル等の操作パネル３１０、スピーカー３２３，ＳＤメモリスロット３１６を含んで構成される。通信手段として、携帯電話回線に接続するための専用の通信ユニット３０４と、ブルートゥース（登録商標）用の通信チップ３０６と、無線ＬＡＮ網と接続するための無線ＬＡＮチップ３０８と、近接通信手段を実現するＮＦＣチップ３０９等が設けられる。携帯通信端末３００には２つのカメラが設けられる。第一カメラ３２１は機器の裏側に設けられるもので、第二カメラ３２２は操作パネル３１０と同じ面側に設けられるカメラであり、これらで撮影された画像データは映像処理部３２０にて画像処理される。尚、携帯通信端末３００側に含まれる機器は図４に図示されただけに限られずに、バッテリ等の電源回路や、通話用のマイク等、様々な機器が含まれる。
【００３０】
次に携帯通信端末３００を遠心機に登録する手順について図５を用いて説明する。遠心機の使用を許可された人又は管理を行う人が携帯する携帯通信端末３００で操作パネル１０と同じように運転状態の表示を可能とするために、あらかじめ遠心機１に情報の送信及び受け取りを許可する人とその人の所有する端末を登録しておく。この登録は管理者レベルのユーザが遠心機１のユーザ管理画面１２０にて行う。ユーザ管理画面１２０はユーザ名１２１、アクセスレベル１２２、端末情報１２３から構成され、操作パネル１０より入力する。ユーザ名１２１は遠心機１の使用を許可された者であって、ユーザ管理画面１２０にてリスト状に登録される。各ユーザにはアクセスレベル１２２が登録される。アクセスレベルは、ここでは２段階の「管理者」および「オペレータ」があり、「管理者」と登録した場合は、携帯通信端末３００から遠心状態の情報を受信して表示するだけの『モニタリング』と、遠心機１に対してコマンド送信によるデータ入力を行う『遠隔操作』が可能とされる。また「オペレータ」と登録した場合は、携帯通信端末３００から運転状態の『モニタリング』のみ可能とされる。『モニタリング』は遠心機の設定値の参照および運転状態値の参照が可能である。『遠隔操作』のコマンドは、遠心機１のスタートおよびストップの指示や設定値の入力等がある。端末情報１２３はユーザが携帯する携帯通信端末３００の固有に持つ情報（例えばＭＡＣアドレス）である。通知チェック欄１２４は、遠心機１の運転状態を無線手段を介して携帯通信端末３００側に表示させるかどうかを指示するチェック欄である。ここをチェックしておけば、遠心機１の運転状態をユーザ名１２１の有する携帯通信端末３００に通知し、さらには運転状態の切り替わりの通知を行ことができる。
登録されるユーザの数が一画面に入りきれない場合は、ユーザ管理画面１２０の左側にスクロールバー１２８とスクロールアロー１２９ａ、１２９ｂをタッチすることにより頁スクロールを行うことができる。
【００３１】
ユーザ管理画面１２０において、登録された名前（例えば欄１２５）をタッチして詳細設定アイコン１２６をタッチすると、ユーザ名に関する詳細な情報を登録する画面（図示せず）に移行し、その画面上で、携帯通信端末３００が固有に持つ情報（例えばＭＡＣアドレス）である端末情報１２３、ブルートゥースの使用の可否、近接通信手段の使用の可否、デフォルトで使用する近接通信手段の指定などの、ユーザ毎に異なる詳細な情報、等を登録することができる。ＭＡＣアドレスの登録は、遠心機１の操作パネル１０からこの情報を手動入力しても良いし詳細設定アイコン１２６欄をタッチして、無線接続を遠心機と登録する携帯通信端末を同時に操作して半自動で登録するようにしても良い。チェック欄をチェックすると、遠心機１の運転状態をユーザ名１２１の有する携帯通信端末３００にて表示できる。ここでは図示していないが通知チェック欄１２４を指でタッチしたら別画面が開いて、運転状態の変化や切り替わり（例えば加速から整定）点での通知の有無のアラーム機構等を詳細に設定することが可能である。最後に複数のユーザの登録作業が終わったら登録アイコン１２７をタッチすることにより通常画面１００に戻る。
【００３２】
図６は、本発明の実施例に係る遠心機１の操作パネル１０に表示される通常画面１００を示す図である。通常画面１００は遠心分離運転に関する制御情報や運転状態を表示するための画面であって、通常画面１００中の上段部分（上側部分）には、ロータ回転速度表示欄１０１、運転時間表示欄１０２、ロータ温度表示欄１０３の３つの表示欄が割り当てられる。ロータ回転速度表示欄１０１は、ロータ２の回転速度をｒｐｍにて表示するための領域であって、上側には、図示しない回転センサで実測された現在のロータの回転数が大きく表示され、下側には作業者によって設定された設定回転数が小さく表示される。運転時間表示欄１０２は遠心分離の運転時間を表示する領域であって、上側には設定時間に達して運転終了するまでの残時間が大きく表示され、下側には作業者によって入力された設定（運転）時間が小さく表示される。ロータ温度表示欄１０３は、ロータ２の温度（又はロータ室３の内部温度）を表示する領域であって、現在におけるロータ温度が大きく上段に表示され、作業者によって入力された設定温度が小さく下段に表示される。作業者が画面上におけるロータ回転速度表示欄１０１、運転時間表示欄１０２、ロータ温度表示欄１０３の欄のそれぞれをタッチすると、図示しないポップアップ画面が表示され、そこに０〜９までの数値キーが表示されるので、これを表示操作することによって、設定回転数、運転時間、ロータ２の設定温度等をそれぞれ入力して設定できる。数値キーによって数値が入力されたら、図示しない設定完了キー又はポップアップ画面をクローズするアイコンをタッチすることによって、入力された数値が指定された表示欄に入力される。
【００３３】
ロータ種表示欄１０４には、使用するロータ２の種類に対応する識別記号（識別番号）型名１４１が表示される。作業者がロータ種表示欄１０４を触れることによって、ポップアップ画面によって選択可能なロータ２の型名の一覧が表示され、作業者がこの中から一つを触れることによって選択して、設定完了キー又はポップアップ画面をクローズするアイコンをタッチすることによって、選択されたロータ２の型名がロータ種表示欄１０４に表示される。加減速情報表示欄１０５には、運転開始時にロータ２が停止状態から設定回転数に達するまでの回転の加速勾配（ＡＣＣＥＬ）と、運転停止時にロータ２が設定回転数から停止状態になるまでの回転の減速勾配（ＤＥＣＥＬ）が、それぞれ数値レベルで対応づけて表示される。この設定も、作業者が加減速情報表示欄１０５を触れることによって、ポップアップ画面によって選択可能な加速勾配、減速勾配がそれぞれ表示され、ユーザによって選択される。機能表示部１０６は、その他の制御機能を選択するためのアイコンを表示するための表示欄である。ユーザ名表示領域１０７には、図３では表示されていないが、ログインしているユーザ名がいれば名前が表示される。図中ではさらに、ユーザの携帯通信端末３００にて遠隔監視されていることを示すアイコン１１０が表示され、遠隔監視が開始されるとアイコン１１０と共にその名前が表示される。
【００３４】
上記のとおり、ロータ回転速度表示欄１０１、運転時間表示欄１０２、ロータ温度表示欄１０３、ロータ種表示欄１０４、加減速情報表示欄１０５は、作業者によって設定又は選択される。スタートアイコン１０８、ストップアイコン１０９は、操作のみで機能するアイコンであって、作業者がスタートアイコン１０８をタッチすることによって、遠心分離運転が開始する。遠心分離運転が終了する前の任意のタイミングで、作業者が任意にストップアイコン１０９をタッチすることによっても、モータ９を停止できる。遠心分離運転においてモータ９は、選択された加速勾配で加速されて設定回転数に達し、この設定回転が維持される整定運転が行われる。その後、運転時間表示欄１０２で設定時間が経過した後に、モータ９は選択された減速勾配で減速し、停止状態となり、遠心分離処理が終了する。ファンクションタブ１０６には、その他の操作用のアイコンが設けられる。
【００３５】
図７は、携帯通信端末３００を用いて遠心機１の運転状況を遠隔監視（モニタリング）する際に表示される表示画面４００の一例を示す図である。この画面は、携帯通信端末３００の所有者（携帯する者）が専用のアプリケーションをインストールすることで実現できる。このアプリケーションは表示画面４００のように、最上位にモニターしている遠心機１の機種名４１１（ここでは“CP100NX-0001”）が表示され、その下にロータ回転数（単位ｒｐｍ）を示すＳＰＥＥＤ４０１の実測値（Ｃｕｒｒｅｎｔ）と設定値（Ｓｅｔ）が並べて表示される。その下には遠心分離時間４０２の運転時間と設定値が並べて表示される。温度４０３は、温度センサ１５によって測定されたロータ室３の温度の実測値と設定値が並べて表示される。ＡＣＣＥＬ４０５ａは選択された加速勾配の番号を示し、ＤＥＣＥＬ４０５ｂは選択された減速勾配の番号を示している。ロータ４０４は、選択されたロータ名（ここでは“R20A2”）が表示される。表示画面４００の一番下には、運転開始用のスタートアイコン４０８とストップアイコン４０９が表示される。以上のように作業者は携帯通信端末３００を用いて遠心機１の操作パネル１０に表示される情報の一部を表示することができるので、作業者は運転状況を確認するために遠心機１の操作パネル１０を見なくても、携帯する携帯通信端末３００にて運転状況を確認することができる。尚、携帯通信端末３００を用いた監視においては、図５のアクセスレベル１２２がオペレータの場合は、ＳＰＥＥＤ４０１、遠心分離時間４０２、温度４０３、ＡＣＣＥＬ４０５ａ、ＤＥＣＥＬ４０５ｂ、ロータ４０４等は表示のみとなり、これらの設定値を変更する携帯通信端末３００からの変更はできない。また、オペレータレベルの作業者の場合であって、ログインしたユーザの場合は、スタートアイコン４０８とストップアイコン４０９が表示され、これらの操作だけは受け付けられるが、ログインしていないオペレータレベルのユーザの携帯通信端末３００にはスタートアイコン４０８とストップアイコン４０９が操作できないようにグレー表示するようにしても良い。
【００３６】
図８は携帯通信端末３００を用いて遠心機１の運転データを入力する画面４００、４２９を示す図である。この運転データの入力は、図５のアクセスレベル１２２が管理者であるユーザが携帯する携帯通信端末３００からだけ許可されるもので、ＳＰＥＥＤ４０１、遠心分離時間４０２、温度４０３、ＡＣＣＥＬ４０５ａ、ＤＥＣＥＬ４０５ｂ、ロータ４０４等のアイコンをタッチすると、矢印４１５のように右側の入力画面４２０に表示が切り替わる。右側の入力画面４２０は管理者が携帯通信端末３００を用いてＳＰＥＥＤ４０１のアイコンをタッチした状態を示している。入力画面４２０では、ＳＰＥＥＤ４０１のアイコンの下に、実測値（Ｃｕｒｒｅｎｔアイコン４２２）と設定値（Ｓｅｔアイコン４２３）が並べて表示され、入力可能な欄（ここでは設定値の数値のみ）が白黒反転表示される。中央から下側には、テンキー４２４が設けられ、テンキー４２４から設定値を入力し、その後ＥＮＴＥＲキー４２５をタッチすることにより設定値が確定し矢印４１６のように元の表示画面４００に戻ると共に、その値が遠心機１に送信される。尚、入力画面４２０においてテンキー４２４の下側に表示されるＨＯＬＤキー４２６をタッチすると、運転時間をＨＯＬＤ（終了キーが押されるまで運転を続ける）にセットすることができる。同様にして、その他のＳｅｔ値を必要に応じて変更した後に、スタートアイコン４０８をタッチすることにより遠心分離運転を開始することができ、ストップアイコン４０９をタッチすることにより遠心分離運転を中止させることができる。
【００３７】
図９は専用のアプリケーションソフト（アプリ）での登録画面４５０で、本画面から端末名４５１〜４５４を入力する。端末名４５１は、使用者が判りやすいように氏名や愛称などの文字を入力するもので、遠心機に登録されているユーザ名と一致させると良い。通信形態４５３は、ログイン動作を行う際の通信形態を選択するもので、ここではＢｌｕｅｔｏｏｔｈ（商標名）が選択されている。その他、ＮＦＣと、ＷｉＦｉ（米国Ｗｉ−Ｆｉ  Ａｌｌｉａｎｃｅの登録商標）の選択が可能であるが、携帯通信端末３００及び遠心機１が有する共通の通信方式があれば、それを用いてもよい。
【００３８】
図９のスマートキーでの登録は双方向に通信可能となるように設定することが重要である。そのため、遠心機１側にも通信する携帯通信端末３００を登録するため、図６の基本画面にてメニュータブを選択して、図１０に示すスマートキー管理画面１６０を呼び出す。図１０のスマートキー管理画面１６０は、登録されている携帯通信端末３００の一覧を表示する。携帯通信端末３００を登録する場合は、一つの端末機器（１６４ａ〜１６４ｃのいずれか）を選択してから登録キー１６５を押して、図９と同一内容の画面（図示せず）を操作パネル１０に表示させる。次に、図９で設定した携帯通信端末３００の端末名１６２と通信形態１６３を同様に設定する。この状態で、図９の携帯通信端末３００の登録画面４５０の送信ボタン４５５を押して遠心機１に送信し、遠心機１は、携帯通信端末３００から受信した端末名が遠心機側で設定したものと同じ端末名であれば、端末機器の登録キー（図示せず）をタッチすることにより図１０のスマートキー管理画面に戻り、端末機器の登録を完了する。このようにして遠心機１に携帯通信端末３００を一度登録しておけば、その後のログインを自動又は半自動で行うことができる。
【００３９】
遠心機１へスマートキー登録後は、図１１のように作業者が自ら携帯する携帯通信端末３００−１を遠心機１に近づけることでログインが可能である。例えば通信形態がＮＦＣの場合は、遠心機１の図示しないＮＦＣ受信部に携帯通信端末３００−１をかざすことにより自動ログインを行うことができる。Ｂｌｕｅｔｏｏｔｈの場合は、携帯通信端末３００−１のＢｌｕｅｔｏｏｔｈを待機状態にしておけば、作業者が携帯通信端末３００−１を携帯したまま遠心機に近づいた時に自動ログインを行うことができる。ＷｉＦｉの場合は、作業者が遠心機１の操作パネル１０からログインアイコンを操作することにより、遠心機１が携帯通信端末３００が通信可能であるかを判定し、通信可能であればパスワードの入力を省略した自動ログインを行うことができる。このように何らかの近接領域内に限定される無線通信手段を介して携帯通信端末３００により自動ログイン、即ち携帯通信端末３００を携帯した状態で近づけば自動的にログインとするか、あるいは作業者が操作パネル１０の何らかのキーをタッチした後に携帯通信端末３００−１との通信可否によりログインを行う半自動ログインとすることができる。いずれの場合であっても作業者はログインに伴うパスワードの入力作業を省略できるので、使い勝手の良い遠心機を実現できる。
【００４０】
次に図１２〜図１６を用いて自動ログインを行う際の手順を説明する。
図１２は、自動ログインを行う遠心機１の処理手順を示すフローチャートである。図１２に示す一連の手順は、制御装置２０の中央処理装置２１にあらかじめ格納されたプログラムによってソフトウェア的に実行可能である。図１２のフローチャートは、遠心機１の電源がＯＮの状態であって、誰もログインを行っていない際に実行される。まず、中央処理装置２１は、遠心機１の通信可能範囲内に、接続された又は接続可能状態にある携帯通信端末３００があるか否かを検出する（ステップ２５１）。ここでは、図９、図１０に示したように自動ログインを行うための通信手段として、ＮＦＣ、Ｂｌｕｅｔｏｏｔｈ（登録商標）、ＷｉＦｉの３つが可能であるので、これらの通信手段だけで判定すれば良い。ＷｉＦｉの場合は、遠心機１が設置されている室内またその近接区域のように、狭い接続範囲である場合に限定すると良い。また、ステップ２５１では遠心機１側から積極的に接続可否を確認しても良いし、作業者が携帯通信端末３００の操作パネル１０から何らかの起動アイコンを選択したら、中央処理装置２１がステップ２５１を開始するようにしても良い。
【００４１】
次に、ステップ２５１で接続可能な携帯通信端末３００が存在を判定し、存在する場合は、それが図１０で示すように遠心機１に登録済みの携帯通信端末３００であるか否かを判定する（ステップ２５２）。登録済みの携帯通信端末３００で無い場合は、ログイン不可であるとしてステップ２５１に戻る（ステップ２５６）。尚、作業者が操作パネル１０から何らかの起動アイコンを選択してステップ２５１を選択した際には、操作パネル１０上に「ログインできません」等のメッセージを表示したり、従来からの方法であるログイン画面（図示せず）を表示して、パスワード入力によるログインを促すように構成しても良い。
【００４２】
ステップ２５２にてＹＥＳ、即ち、遠心機１が登録してある端末名が確認できれば、遠心機作業者に対し図１４のスマートキーログイン画面、即ち通常画面１００に確認メッセージ１５１を表示し、ログインする作業者の確認を行わせる（ステップ２５３）。図１４では、遠心機１がステップ２５１にて識別した携帯通信端末３００の端末名（図９の４５１参照）を表示した後に、ステップ２５３にて表示する確認メッセージ１５１が表示されたものである。確認メッセージ１５１内には、検出された端末名１５２が表示されると共に、ログインをして良いか否かを示す、ＹＥＳを示すアイコン１５３とＮＯを示すアイコン１５４を表示する。ここで、作業者がＹＥＳを選択すればログインが行われ、Ｎｏを選択するか又はいずれも選択しないで所定時間が経過するとログインが行われずにステップ２５１に戻る。
【００４３】
再び図１２のステップ２５４に戻る。中央処理装置２１は作業者によるアイコン１５３、１５４のいずれかが選択されたことを検知すると、それがＹＥＳかＮＯかを判定する。ＮＯ又はタイムアウトの場合はステップ２５１に戻り、ＹＥＳの場合は遠心機１のログイン処理を行う。その後、作業者による遠心機１の操作を受け付け、従来の遠心機と同じように遠心分離運転を開始する。この遠心分離運転の際には、操作パネル１０に表示された内容を携帯通信端末３００に表示できるように、表示データを指定された携帯通信端末３００にリアルタイムで送信する（ステップ２５５）。送信先は、ログインの時に作業者確認用に用いられた携帯通信端末３００−１であるが、それに加えて管理者の所有する携帯通信端末３００−２や、その他遠心分離運転のモニターを許可する携帯通信端末を加えても良い。
【００４４】
図１３は、携帯通信端末３００−１側の処理手順を説明するフローチャートである。図１３に示す一連の手順は、制御装置３０１の中央処理装置３０２にあらかじめ格納されたプログラム（アプリケーションソフト）によってソフトウェア的に実行可能である。まず、中央処理装置３０２からアクセス、即ちデータの送信があったかどうかを判定する（ステップ２７１）。アクセスがあった場合は、送付元の遠心機１が事前に登録された機種であるかどうかの判定（認証）を行う（ステップ２７２）。認証が否の場合はアクセスを無視してステップ２７１に戻り、認証が可（ＹＥＳ）の場合は遠心機１にＯＫである旨の返信を行うことにより、遠心機１との接続状態を確立する（ステップ２７３）。次に、中央処理装置３０２は、遠心機１との情報共有を図るための専用のアプリケーションソフトを起動し（ステップ２７４）、遠心機１から送られてくるデータの受信を開始する（ステップ２７５）。受信されたデータは図７、図８のように携帯通信端末３００−１に操作パネル３１０に表示される。（ステップ２７６）。次に、中央処理装置３０２は遠心機１側からログアウトする旨の通知があったかどうかを判断し、ログアウトしない場合はステップ２７５、２７６の処理を繰り返す（ステップ２７７）。ステップ２７７にてログアウトの場合は、アプリケーションソフトを閉じて処理を終了する（ステップ２７８）。
【００４５】
図１５は携帯通信端末３００を用いてログインした状態の通常画面１００である。ログインしたユーザ名が１０７欄に表示されるが、ここでは、ユーザ名表示領域１０７の右側に携帯通信端末３００のアイコン１５５を表示してスマートログインが行われたことを表示すると共に、ログインした人の端末名「Ｔ．ｔａｒｏ」が表示される。尚、ログインしている作業者以外で、携帯通信端末３００を用いて遠心分離運転のモニターをしているユーザがいる場合は、その人たちの情報を通常画面１００上にアイコン形式で合わせて表示するようにしても良い。
【００４６】
図１２のフローチャートに戻り、ステップ２５５にて遠心分離運転が終わって作業者がログアウトの操作画面に移行する。ログアウトは図７のユーザ名表示領域１０７の顔のアイコンをタッチして行うが、この際、遠心機１はログインした携帯通信端末３００−１が遠心機の近くの通信可能範囲内にあるか否かを判定する（ステップ２５７）。ここで通信可能範囲内にある場合は、ログアウト操作を実行して（ステップ２５８）処理を終了する。ＮＦＣを用いた通信の場合には、図１６に示す通常画面１００にメッセージ画面１５６が表示され、作業者はメッセージ画面１５６に従って遠心機１にスマートキーとしてログインした携帯通信端末３００−１を近づけて、遠心機１が認識したらログアウトが完了する。ログアウト後は、図１５の通常画面から、アイコン１５５が消える状態となる。尚、ステップ２５７にて通信可能範囲内にログインした際に使用した携帯通信端末３００−１が無い場合には、ステップ２５６に戻る。この場合は、ログアウトするにあたりログイン時に使用するパスワードを入力するようにしてログアウトを許可すれば良い。
【００４７】
以上、本実施例によれば、ユーザに対してログインを要求する遠心機において、携帯通信端末３００を用いることにより、遠心機を使用するために簡単にログインができるようになった。また、携帯通信端末３００をユーザの識別用に利用できるので、遠心機の管理者や指定されたユーザのみが操作できる遠心機の運転を適切管理することができる。また、運転中においては、遠心機１の操作パネル１０に表示される情報が、ログインした作業者の携帯通信端末３００にも表示されるので、作業者による遠心機の運転監視を容易に行うことができるようになった。
【実施例２】
【００４８】
次に図１７〜図２７を用いて本発明の第二の実施例を説明する。第一の実施例においては携帯通信端末３００を自動ログイン処理のための認証機器とて使用したが、第二の実施例では携帯通信端末３００を遠心機１では得られない付加情報の入手手段として使用する。遠心機１には、表示装置として液晶画面が設けられたものが多い。液晶画面は、機器本来の動作状態は設定値等の表示に用いられるだけではなく、機器に関する様々な付帯情報、例えば取り扱い方法や、補給部品の型番などの情報をユーザに提供するために用いられる。また、製品の出荷時に使用可能なロータに関する情報やマニュアルが予め制御装置２０内の記憶装置２２に格納されており、ユーザはそれらの情報を参照することができる。装置内にこれらの情報を保持し、画面で情報提供すれば、機器の状態やユーザの操作等に応じた適切な情報を提示することができ、ユーザが必要な情報を探す手間が軽減できるというメリットがある。
【００４９】
高機能化した近年の電子機器においては、旧来の紙製の資料ではページ数が増え、必要な情報を見つけるまでの時間と手間が増えるため、電子情報としてユーザに提供することが多い。一方で、あらゆる状態に応じた情報となると電子データは大容量となり、それらをあらかじめ機器内に蓄積しておくには、相応のメモリ容量が必要である。ユーザによっては全く不要な情報のためにメモリを消費することになり、コスト的に非合理的となる。また、補給部品などの情報は年月の経過により型式番号や価格などが変わることもあるため、機器内メモリに蓄積する方法では、最新の情報が提供できないという不都合もあった。
【００５０】
そこで、ネットワーク接続機能を備えた一部の製品では、取り扱い情報を製造者側のサーバに置き、機器がネットワーク経由で取り扱い情報を取得する方法が用いられる。この方法は、使用頻度の低い情報を機器内メモリに保管する必要がないため機器内メモリを節約できてコスト的に有利であり、また常に最新の情報を提供できるというメリットがある。しかしながら遠心機では、たとえネットワーク接続機能が備わっていても、設置場所の事情やネットワーク環境の運用方針（機密情報の保護）等の理由により、必ずしもネットワーク接続がなされるとは限らない。
【００５１】
本発明の遠心機１においては、自動ログインや遠隔操作のために作業者が携帯する携帯通信端末３００を用いている。携帯通信端末３００は、通常、公衆電話回線を通じてインターネット網と容易に接続することが可能である。そこで第二の実施例では、遠心機１に関する詳細な情報、最新の情報を、遠心機１が利用可能なスマートフォン等の携帯通信端末３００を用いて入手できるようにした。このため、遠心機１に二次元バーコードにて最新情報を入手するための接続先のアドレス情報を表示し、それを携帯通信端末３００がカメラを用いて二次元バーコードを読み取るようにした。これにより作業者は携帯通信端末３００が読み取ったアドレスに従って製造者のＷＥＢサイトに速やかにアクセスできる。ＷＥＢサイトへのアクセスにより携帯通信端末３００が入手した情報は、作業者が閲覧するだけでも十分である。しかしながら、第二の実施例では、その情報を携帯通信端末３００から遠心機１にフィードバックさせることを可能とした。このフィードバックは、遠心機１と携帯通信端末３００との近接領域での無線通信でやりとりされるので、遠心機１がスタンドアロンで動作している際にも外部から容易に更新情報を入手することができる。
【００５２】
図１７は、遠心機１の運転前において、載置されたロータ２を判別したときの表示例を示す。通常画面１００の中央にはロータ２が検出されたことを示すメッセージウィンドウ１７１が表示される。この例では矢印１７２の位置に、ロータ２としてＰ１００ＡＴ２型の製造番号０１２３番が検出されたことを示している。メッセージウィンドウ１７１の中には、チューブリストアイコン１７３、ロータカタログアイコン１７４、ＯＫアイコン１７５が配置され、チューブリストアイコン１７３にタッチするとＰ１００ＡＴ２型ロータに適用可能なチューブリスト画面２１０（図１９にて後述）へ移動できる。同様にして、作業者がロータカタログアイコン１７４にタッチするとＰ１００ＡＴ２型ロータの詳細情報画面２００（図１８にて後述）へ移行し、ＯＫアイコン１７５にタッチするとメッセージウィンドウ１７１が消えた状態の通常画面１００（図１７参照）に戻る。
【００５３】
図１８はＰ１００ＡＴ２型ロータの詳細情報画面２００の例を示す。この詳細情報画面２００は、ロータ２を検出したときに表示されるメッセージウィンドウ１７１のロータカタログアイコン１７４をタッチすると表示される。また、図２０、図２２で後述するメニュー画面１８０のロータカタログアイコン１８１にタッチしても到達できる。
【００５４】
詳細情報画面２００内には、最上部にロータ名２０１が表示され、そのロータの詳細説明２０２がロータ名２０１の下部に表示される。詳細説明２０２の右側部分には、チューブリストを入手するための携帯通信端末３００からアクセスするアドレス情報を表示した二次元コード（チューブリスト二次元コード２０３）と、チューブリストアイコン２０４が表示される。チューブリストアイコン２０４にタッチすると、当該ロータ（Ｐ１００ＡＴ２型）に適用可能なチューブリスト画面２１０（図１９にて後述）に移行する。チューブリスト二次元コード２０３には当該ロータＰ１００ＡＴ２型に適用可能なＷＥＢ上のチューブリスト情報へアクセスするためのアドレス情報がコード化されており、スマートフォンなどの携帯通信端末３００のカメラで読み取ることによりＵＲＬ（Ｕｎｉｆｏｒｍ  Ｒｅｓｏｕｒｃｅ  Ｌｏｃａｔｏｒ）を入手し、その携帯通信端末３００の有するインターネットアクセス機能を用いてＷＥＢサイト上の最新のチューブリスト情報へ容易にアクセスできる。
【００５５】
図１９は、Ｐ１００ＡＴ２型ロータに適用可能なチューブリスト画面２１０である。ここでは、適用可能なチューブのリスト２１１が６件分ずつ表示される。該当するチューブの種類が多くて１画面に収まらない場合は複数の画面に分かれるので、ページ表示２１２と改ページボタン２１３ａ、２１３ｂを設けてある。チューブリストの二次元コード２１４には、当該ロータＰ１００ＡＴ２型に適用可能なＷＥＢ上のチューブリスト情報へアクセスするためのアドレス情報がコード化されており、携帯通信端末３００で二次元コード２１４を読み取ることにより、インターネットを介して最新のチューブリスト情報へ容易にアクセスできる。
【００５６】
図２０は、遠心機１のメニュー画面１８０の構成を示す。メニュー画面１８０は遠心機１の付加機能を提供する画面であり、通常画面１００（図１５参照）の左上のメニュータブ１１５をタッチすることにより切り替えることができる。メニュー画面１８０には複数の項目の選択可能な選択ボタンがアイコン形式で表示される。それらアイコンにはロータカタログアイコン１８１、チューブリストアイコン１８２、アップデートチェックアイコン１８３、取説リンクアイコン１８４が含まれ、一部のアイコンがＱＲコード（登録商標）等の二次元コードにて表示される。チューブリストアイコン１８２にタッチするとロータカタログ画面（図２１にて後述）へ移行し、ロータの種類と型式を選択すると、当該ロータのチューブリスト画面が表示される。取説リンクアイコン１８４は、アイコン自体が二次元コードとなっており、作業者はこの取説リンクアイコン１８４をタッチすることにより遠心機１に保存されている取扱説明書にアクセスできる。また、取説リンクアイコン１８４を携帯通信端末３００で読み取ることにより、遠心機１の当該機種に関するＷＥＢ上の取扱説明書に容易にアクセスすることができる。取説リンクアイコン１８４にコード化される情報は、例えば遠心機が複数の言語（英語、日本語など）から表示言語を選択する機能があれば、その設定に合わせた言語の取扱説明書のアドレス情報をコード化すると良い。またリンク先は、取扱説明書に記載されたアドレスでなく、当該機種に関するその他の資料（例えば補給部品リストなど）も含めた一覧画面でも良く、あくまで当該機種のＷＥＢ上の取扱説明書へアクセスするための道筋であれば良い。また、取説リンクアイコン１８４にタッチした場合には、制御装置２０内のメモリ（図示せず）に蓄積した取扱説明情報を表示しても良いし、取説リンクアイコン１８４の二次元コードを拡大表示しても良いし、二次元コード化されたアドレス情報を英数字で表示しても良い。
【００５７】
図２０のアップデートチェックアイコン１８３は、アイコン自体が二次元コードとなっており、そのコードには、下記の文字列がエンコードされている。
http://www.hitachi-koki.co.jp/himac.php?mid=CP100NX&ver=m123s456r7
クエスチョンマーク「？」より左側は、本体内蔵ソフトウェアやデータの最新版の有無をチェックするためのＷＥＢページのアドレスであり、右側は本体の機種名およびソフトウェアのデータのバージョンを示している。作業者がこの二次元コードの情報に基づいてインターネットにアクセスすると、ＷＥＢページ側のサーバが「？」より右側の情報を取得し、アクセス元の遠心機１の機種名と本体内蔵のバージョンを付加して、そのバージョンに対して更新可能な最新データの有無を表示することができる。更新可能なデータがサーバにある場合は、図２４に示すように携帯通信端末３００の画面４８０上にメッセージ４８１を表示する。メッセージ４８１はロータカタログの更新情報がある旨を表示する。更新情報には、ロータに関する追加情報、遠心機に関するマニュアルの追加内容、遠心機に関する更新プログラムの有無を示す情報等がある。ここで、作業者が更新を望む場合は該当する更新データを携帯通信端末３００にダウンロードすることが可能となる。携帯通信端末３００にダウンロードされたデータは、近接通信手段を介して遠心機１に転送される。この転送は携帯通信端末３００にインストールされた専用のアプリケーションソフトが実行するので、作業者は携帯通信端末３００の画面上から更新アイコン４８３をタッチするだけで良い。
【００５８】
一方、作業者は携帯通信端末３００の画面４８０上にメッセージ４８１が表示されても、遠心機１側への情報の更新を希望しなくても良い.その場合は詳細確認アイコン４８２をタッチして内容を確認するだけでも良いし、キャンセルアイコン４８４をタッチして元に戻っても良い。以上のように遠心機１の操作パネル１０に二次元コードを表示して、作業者が携帯する携帯通信端末３００を用いてＷＥＢサーバにアクセスすることにより容易に最新の情報の有無を確認し、必要ならば更新を行うことができる。この更新が簡単な更新である場合は、携帯通信端末３００を介して更新を行うようにすれば良いし、容量が大きい更新や、重要な更新である場合は、その様な更新情報の存在を知らせるメッセージだけを遠心機１に転送するだけでも良い。そうすれば図２６に示すように遠心機１の通常画面１００内に、メッセージ１５７として更新情報の存在を示すアイコンを表示することができる。
【００５９】
遠心機１のような機器に組み込まれるソフトウェアは、セキュリティの確保や安定稼動のため、インターネットとは切り離されていることが多いが、上記した手順によって、遠心機１がインターネットに接続せずに、作業者の携帯通信端末３００を介して遠心機に関する付加情報、例えば、遠心機の使用方法を示す最新のマニュアル、ロータに関する最新の情報、ロータに使用可能な試料容器に関する最新の情報等のほかに、ロータに使用可能な試料容器に関する最新の情報等を入手することができる。さらに、作業者の携帯通信端末３００を介して遠心機の更新状況の存在の有無の伝達ができ、遠心機の更新データや更新プログラム自体を遠心機を介してダウンロードできるように構成できる。以上、アップデートチェックアイコン１８３に二次元コードを用いる例を説明したが、二次元コードを用いた更新情報のチェック方法は、その他の画面上においても同様に適用できる。
【００６０】
図２１は、ロータカタログ画面２２０である。遠心機１で回転可能なロータの種類が多数あるため、最初にロータの分類を選択する画面（２２１〜２２６）が表示される。作業者はこの画面からロータの分類を選択すると、次にその分類に含まれる個々のロータの型式が表示され（図示せず）、さらに個々のロータの型式を選択すると、選択されたロータに関する詳細情報画面２００（図１８参照）が表示される。ロータカタログ画面２２０の右下には二次元コード２２７が表示される。二次元コード２２７には、遠心機１に使用可能なロータに関するＷＥＢ上の情報へアクセスするためのアドレス情報がコード化されたものである。作業者はスマートフォンなどの携帯通信端末３００のカメラで二次元コード２２７を読み取り、読み取ったＵＲＬへ接続することにより最新のロータカタログへ容易にアクセスできる。
【００６１】
次に、図２２〜図２３を用いて第二の実施例の変形例を説明する。図２２は、二次元コードで表されていた図２０のアップデートチェックアイコン１８３に代わり、アップデートチェックアイコン１８６を一般的なシンボルデザインで表したものである。アップデートチェックアイコン１８６にタッチすると、図２３に示す二次元コード画面１９０が現れる。図２３の中央に表示される大型の二次元コード１９１には以下の情報が含まれている。
Model=CP100NX;ID=01234567;Ver=m123s456r7;
Total=000021runs,000037hours;Lang=Japanese;
LastErr=014,spd=100000,mode=Accel,temp=18deg,23122015;
ErPrev1=048,spd=034730,mode=Accel,temp=22deg,23122015;
ErPrev2=014,spd=080000,mode=Const,temp=04deg,21122015;
ErPrev3=014,spd=100000,mode=Accel,temp=36deg,15102015;
ErPrev4=002,spd=000000,mode=Stop,temp=18deg,23062015;
これらは、以下の情報を示している。；
ロータの製品型名＝CP100NX、ロータ識別子（ID）＝01234567、内蔵ソフトウェアバーション＝m123s456r7
トータル運転回数２１回、トータル運転時間３７時間、表示言語＝日本語
直近に発生したエラー＝No.14、発生時の回転速度10,000min-1、状態＝加速中、ロータ温度18℃、発生日時2015年12月23日
１回前のエラー＝No.48、・・・・・・2015年12月23日
２回前のエラー＝No.14、・・・・・・2015年12月21日
３回前のエラー＝No.14、・・・・・・2015年10月15日
４回前のエラー＝No.14、・・・・・・2015年06月23日
作業者は、あらかじめ用意された専用アプリ（ソフトウェア）を用いて情報端末で二次元コード１９１を読み取ると、専用アプリは情報端末自身の位置情報を付加して所定のサーバへ情報を送信する。サーバは、送信された情報を元に更新情報の有無を調べて情報端末へ返信する。更新可能なデータがサーバにあった場合、以降の携帯通信端末３００の動作は図２４のように説明で示したとおりである。この通常の照会操作を行う際に、携帯通信端末３００は遠心機１の稼働状況を示す付加情報、即ち、トータル運転回数、トータル運転時間、直近のエラーの発生内容等をサーバに送信する。これを受け取ったＷＥＢサーバ内は、世界各地の携帯通信端末３００から、その位置情報とともに遠心機１の情報が集まるのでデータを蓄積することができる。尚、二次元コード画面１９０の隅に、専用アプリ入手先のＵＲＬを含む二次元コード１９２を表示しておくとよい。
【００６２】
図２５は、図１６〜図２４の説明で示した情報の流れを図示したものである。専用アプリで読み込まれた二次元コード、例えば光学的に読み取り可能なＱＲコード（登録商標）の情報に、携帯通信端末３００自身の位置情報を付加したデータがインターネット９４を介して製造メーカのサーバ５００へ送信され、サーバ５００内でチェックされた更新情報が携帯通信端末３００へ送信される。ここで、サーバ５００内では、世界各地の携帯通信端末３００から、その位置情報とともに遠心機１の情報が集まるので、集計表５５０のようにデータを蓄積する。蓄積される情報は、遠心機の製品型名５５１、表示言語５５２、使用言語５５３、使用地５５４、最終アクセス日５５５である。このように集計表５５０によって遠心機１の情報を集めるようにすれば遠心機１の各地への流通販売データを収集することができ、輸出管理や営業戦略などに有用である。また、ユーザ側の遠心機１からサーバ５００側へのアクセスは、作業者が携帯する携帯通信端末３００を介して行うので、遠心機１がサーバ５００への接続から通信的に遮断された状態が保たれるため、遠心機１側から見て安全性及び信頼性の高い更新情報チェックを行うことができる。
【００６３】
図２７は、図１６〜図２４で示した実施例の動作を示す状態遷移図である。始めに、遠心機１は通常画面を表示している（状態６００）。作業者によって載置されたロータ２を遠心機１が検出すると、ロータ検出を示すメッセージウィンドウ１７１（図１７参照）を表示する（状態６０１）。作業者が図１７のメッセージウィンドウ１７１内のチューブリストアイコン１７３にタッチすると、検出したロータに適用可能なチューブリスト画面２１０（図１９）へ移行し（状態６０４）、ロータカタログアイコン１７４にタッチすると、検出したロータの詳細情報画面２００（図１８）へ移行する（状態６０５）。ロータの詳細情報画面２００（図１８）の詳細情報画面２００内でチューブリストアイコン２０４にタッチすると、チューブリスト画面２１０へ移行する（状態６０４）。
【００６４】
図１９のチューブリスト画面（状態６０４）、ロータの詳細情報画面（状態６０５）それぞれに配置されるチューブリスト二次元コードを読み取ると、インターネット上のチューブリスト情報へアクセスできる（状態６０７）。また、通常画面（状態６００）からメニュータブ１１５（図１５参照）にタッチすると、図２０で示したメニュー画面１８０へ移行する（状態６０２）。ここでチューブリストアイコン１８２（図２０参照）にタッチすると、ロータカタログ画面２２０（図２１参照）へ移行する（状態６０３）。適用できるロータの種類が多い場合は図２１で示したようにはじめに分類の選択することが望ましいが、分類の選択を経るか否かに関わらず、特定の１種類のロータを選択する画面が表示され、ロータが選択されると当該ロータで使用できるチューブリスト画面２１０に移行する（状態６０４）。
【００６５】
一方、メニュー画面１８０から取説リンクアイコン１８４に示される二次元コードを読み取ると、インターネット上の取扱説明書へアクセスすることができる（状態６０６）。また、ロータカタログ画面２２０に配置されたロータカタログへのアクセス用の二次元コード２２７を読み取ると、インターネット上のロータカタログへアクセスすることができる（状態６０８）。
【００６６】
以上説明したように、第二の実施例により、ネットワーク接続されていない遠心機で、インターネット上に開示された遠心機に関する最新の情報または遠心機の使用状態に応じて必要となる情報を、スマートフォン等の普及した携帯通信端末を用いてユーザが容易に入手できるので、ユーザの利便性を大幅に向上させることができる。また、この情報入手において遠心機１が直接更新データを取得するのでは無くて、携帯通信端末３００を介して行うので、遠心機１のファイアウォール等の問題が起きにくい。しかも携帯通信端末３００を介して入手可能なデータは、チューブリストやマニュアルなどの機密性が低いものであって、遠心機１の実行プログラムを含まないので安全である。一方、安全性と保った状態でありながら、携帯通信端末３００から遠心機１に更新情報や更新プログラムがある旨の表示を行うことが可能であるので、作業者が通常の運転作業中に携帯通信端末３００を介して、製造メーカのサーバ装置にアクセスした場合に最新の情報の有無を容易に入手することができ、その情報に応じてメーカのサービスマンを呼んだりして、適切な対応をすることができる。
【符号の説明】
【００６７】
１  遠心機      ２  ロータ      ３  ロータ室      ４  ボウル      ５  ドア
８  ロータ識別センサ      ９  モータ      ９ａ  回転軸      １０  操作パネル
１１  筐体      １１ａ  仕切り板      １２  第一カメラ      １３  第二カメラ
１４  マイク      １５  温度センサ      １８  コンプレッサ
２０  制御装置      ２１  中央処理装置      ２２  記憶装置
２３  ビデオコントローラ      ２４  通信インターフェース
２６  近接通信手段      ２７  映像処理部      ２８  音声処理部
３０  データバス      ３１  モータ用インバータ
３２  コンプレッサ用インバータ      ３４  ＵＳＢインターフェース
３６  スピーカー      ３７  ＵＳＢコネクタ      ３８  ＬＡＮコネクタ
８０  ネットワーク      ８５  インターネット通信網      ９０  データ管理装置
９４  インターネット      １００  通常画面      １０１  ロータ回転速度表示欄
１０２  運転時間表示欄      １０３  ロータ温度表示欄
１０４  ロータ種表示欄      １０５  加減速情報表示欄      １０６  機能表示部
１０７  ユーザ名表示領域      １０８  スタートアイコン
１０９  ストップアイコン      １１０  アイコン      １１５  メニュータブ
１２０  ユーザ管理画面      １２１  ユーザ名      １２２  アクセスレベル
１２３  端末情報      １２４  通知チェック欄
１５０  スマートキーログイン画面      １５１  確認メッセージ
１５２  端末名      １５３  ＹＥＳアイコン      １５４  ＮＯアイコン
１５５  アイコン      １５６  メッセージ画面      １５７  メッセージ
１５８  真空度表示アイコン      １６０  スマートキー管理画面
１６２  端末名      １６３  通信形態      １６５  登録キー
１７１  メッセージウィンドウ      １７２  ロータ名
１７３  チューブリストアイコン      １７４  ロータカタログアイコン
１７５  ＯＫアイコン      １８０  メニュー画面
１８１  ロータカタログアイコン      １８２  チューブリストアイコン
１８３  アップデートチェックアイコン      １８４  取説リンクアイコン
１８６  アップデートチェックアイコン      １９０  二次元コード画面
１９１  二次元コード（大）      １９２  二次元コード（小）
２００  詳細情報画面      ２０１  ロータ名      ２０２  詳細説明
２０３  チューブリスト二次元コード      ２０４  チューブリストアイコン
２１０  チューブリスト画面      ２１１  チューブリスト      ２１２  ページ表示
２１３ａ、２１３ｂ  改ページボタン      ２１４  二次元コード
２２０  ロータカタログ画面      ２２７  二次元コード      ３００  携帯通信端末
３０１  制御装置      ３０２  中央処理装置      ３０３  記憶装置
３０４  通信ユニット      ３０５  データバス      ３０６  通信チップ
３０８  無線ＬＡＮチップ      ３０９  ＮＦＣチップ      ３１０  操作パネル
３１６  メモリスロット      ３２０  映像処理部      ３２１  第一カメラ
３２２  第二カメラ      ３２３  スピーカー      ４００  表示画面
４０１  ＳＰＥＥＤ      ４０２  遠心分離時間      ４０３  温度
４０４  ロータ      ４０５ａ  ＡＣＣＥＬ      ４０５ｂ  ＤＥＣＥＬ
４０８  スタートアイコン      ４０９  ストップアイコン      ４１１  機種名
４２０  入力画面      ４２２  Ｃｕｒｒｅｎｔアイコンアイコン
４２３  Ｓｅｔアイコン      ４２４  テンキー      ４２５  ＥＮＴＥＲキー
４２６  ＨＯＬＤキー      ４５０  登録画面      ４５１  端末名
４５３  通信形態      ４５５  送信ボタン      ４８０  画面
４８１  メッセージ      ４８２  詳細確認アイコン      ４８３  更新アイコン
４８４  キャンセルアイコン      ５００  サーバ      ５５０  集計表
５５１  製品型名      ５５２  表示言語      ５５３  使用言語
５５４  使用地      ５５５  最終アクセス日
【図１】
2017119260.tif 000003
【図２】
2017119260.tif 000004
【図３】
2017119260.tif 000005
【図４】
2017119260.tif 000006
【図５】
2017119260.tif 000007
【図６】
2017119260.tif 000008
【図７】
2017119260.tif 000009
【図８】
2017119260.tif 000010
【図９】
2017119260.tif 000011
【図１０】
2017119260.tif 000012
【図１１】
2017119260.tif 000013
【図１２】
2017119260.tif 000014
【図１３】
2017119260.tif 000015
【図１４】
2017119260.tif 000016
【図１５】
2017119260.tif 000017
【図１６】
2017119260.tif 000018
【図１７】
2017119260.tif 000019
【図１８】
2017119260.tif 000020
【図１９】
2017119260.tif 000021
【図２０】
2017119260.tif 000022
【図２１】
2017119260.tif 000023
【図２２】
2017119260.tif 000024
【図２３】
2017119260.tif 000025
【図２４】
2017119260.tif 000026
【図２５】
2017119260.tif 000027
【図２６】
2017119260.tif 000028
【図２７】
2017119260.tif 000029